(57)【要約】【課題】指を所定位置に静止させることなく、ディスプレイ上の所定領域を拡大表示するタッチパネル装置を提供すること。【解決手段】タッチパネル装置１００は、複数に分割されたディスプレイ４上の表示領域における一の部分領域（Ｒ１〜Ｒ４の何れか）に接近する物体５を検出する物体接近検出手段１０と、物体接近検出手段１０により表示領域における一の部分領域（Ｒ１〜Ｒ４の何れか）に物体５が接近したことを検出した場合に、物体５が接近した一の部分領域（Ｒ１〜Ｒ４の何れか）を拡大表示する表示制御手段１２と、を備える。また、表示制御手段１２は、物体接近検出手段１０により物体５がディスプレイ４から離れたことを検出した時から所定期間拡大表示を維持する。【選択図】図１
2008009759.tif 000002
【特許請求の範囲】
【請求項１】
複数に分割されたディスプレイ上の表示領域における一の部分領域に接近する物体を検出する物体接近検出手段と、
該物体接近検出手段により前記表示領域における一の部分領域に前記物体が接近したことを検出した場合に、前記物体が接近した一の部分領域を拡大表示する表示制御手段と、
を備えることを特徴とするタッチパネル装置。
【請求項２】
前記表示制御手段は、前記物体が接近した一の部分領域を全画面表示とする、
ことを特徴とする請求項１に記載のタッチパネル装置。
【請求項３】
前記表示制御手段は、前記物体接近検出手段により前記物体が前記表示領域から離れたことを検出した時から所定期間拡大表示を維持する、
ことを特徴とする請求項１または２に記載のタッチパネル装置。
【請求項４】
前記表示制御手段は、前記物体接近検出手段により前記物体が前記表示領域から離れたことを検出した時から所定期間経過後に拡大表示を中止する、
ことを特徴とする請求項１乃至３の何れか一項に記載のタッチパネル装置。
【請求項５】
前記表示制御手段は、前記物体接近検出手段により前記物体が前記表示領域の一の部分領域に接近し所定期間留まったことを検出した場合に、前記物体が接近した一の領域を拡大表示する、
ことを特徴とする請求項１乃至４の何れか一項に記載のタッチパネル装置。
【請求項６】
操作部とディスプレイとが物理的に離れた位置に配置されたタッチパネル装置であって、
複数に分割された前記ディスプレイ上の表示領域における一の部分領域に対応した前記操作部の領域に接近する物体を検出する物体接近検出手段と、
該物体接近検出手段により前記表示領域における一の部分領域に対応した前記操作部の領域に前記物体が接近したことを検出した場合に、前記一の部分領域を拡大表示する表示制御手段と、
を備えることを特徴とするタッチパネル装置。
【発明の詳細な説明】
【技術分野】
【０００１】
本発明は、タッチパネル装置に関し、特に、指等の接近を認識することにより所定領域を拡大表示するタッチパネル装置に関する。
【背景技術】
【０００２】
従来、ディスプレイ面上の空間内に挿入された物体の位置を検出する複数のセンサと、その検出結果に基づいて物体が指し示すディスプレイ表面上の位置を計算する計算手段と、該計算手段によって得られたディスプレイ表面上の位置に物体が指し示していることを表す指示ポイントを表示する表示手段とを有することを特徴とする３次元位置認識型タッチパネル装置が知られている（例えば、特許文献１参照。）。
【０００３】
この３次元位置認識型タッチパネル装置は、複数のセンサの出力によってディスプレイ面上の空間内に挿入された物体の先端とディスプレイ表面との間の距離を判定し、その距離に基づいてディスプレイに表示する画像の拡大率を変化させる。
【０００４】
このように、３次元位置認識型タッチパネル装置は、挿入される指の位置によって拡大率を決定するので、操作者は、地図情報のサービスを受けるような場合、空間内に指を挿入しその深さを調整しながら地図情報を拡大表示させ、少ない選択入力だけで大まかな情報から詳細な情報までを迅速に入手できる。
【特許文献１】特開平８―２１２００５号公報
【発明の開示】
【発明が解決しようとする課題】
【０００５】
しかしながら、特許文献１に記載の３次元位置認識型タッチパネル装置は、挿入される指の位置によって拡大率を変化させるので、操作者は、所望の拡大率を維持するために指を所定位置に静止させる必要があり、使い勝手が悪いという問題がある。
【０００６】
上述の問題に鑑み、本発明は、指を所定位置に静止させることなく、ディスプレイ上の所定領域を拡大表示するタッチパネル装置を提供することを目的とする。
【課題を解決するための手段】
【０００７】
上述の目的を達成するために、第一の発明に係るタッチパネル装置は、複数に分割されたディスプレイ上の表示領域における一の部分領域に接近する物体を検出する物体接近検出手段と、該物体接近検出手段により前記表示領域における一の部分領域に前記物体が接近したことを検出した場合に、前記物体が接近した一の部分領域を拡大表示する表示制御手段と、を備えることを特徴とする。
【０００８】
また、第二の発明は、第一の発明に係るタッチパネル装置であって、前記表示制御手段は、前記物体が接近した一の部分領域を全画面表示とすることを特徴とする。
【０００９】
また、第三の発明は、第一または第二の発明に係るタッチパネル装置であって、前記表示制御手段は、前記物体接近検出手段により前記物体が前記表示領域から離れたことを検出した時から所定期間拡大表示を維持することを特徴とする。
【００１０】
また、第四の発明は、第一乃至第三の何れかの発明に係るタッチパネル装置であって、前記表示制御手段は、前記物体接近検出手段により前記物体が前記表示領域から離れたことを検出した時から所定期間経過後に拡大表示を中止することを特徴とする。
【００１１】
また、第五の発明は、第一乃至第四の何れかの発明に係るタッチパネル装置であって、前記表示制御手段は、前記物体接近検出手段により前記物体が前記表示領域の一の部分領域に接近し所定期間留まったことを検出した場合に、前記物体が接近した一の領域を拡大表示することを特徴とする。
【００１２】
また、第六の発明に係るタッチパネル装置は、操作部とディスプレイとが物理的に離れた位置に配置されたタッチパネル装置であって、複数に分割された前記ディスプレイ上の表示領域における一の部分領域に対応した前記操作部の領域に接近する物体を検出する物体接近検出手段と、該物体接近検出手段により前記表示領域における一の部分領域に対応した前記操作部の領域に前記物体が接近したことを検出した場合に、前記一の部分領域を拡大表示する表示制御手段と、を備えることを特徴とする。
【発明の効果】
【００１３】
上述の手段により、本発明は、指を所定位置に静止させることなく、ディスプレイ上の所定領域を拡大表示するタッチパネル装置を提供することができる。
【発明を実施するための最良の形態】
【００１４】
以下、図面を参照しつつ、本発明を実施するための最良の形態の説明を行う。
【００１５】
図１は、本発明に係るタッチパネル装置の構成例を示すブロック図であり、タッチパネル装置１００は、例えば、カーナビゲーションシステム等に適用されるタッチパネル装置であって、制御部１、接近センサ２、タッチセンサ３およびディスプレイ４から構成される。
【００１６】
制御部１は、ＣＰＵ（Central  Processing  Unit）、ＲＡＭ（Random  Access  Memory）、ＲＯＭ（Read  Only  Memory）、ＮＶＲＡＭ（Non-Volatile  Random  Access  Memory）等を備えたコンピュータであり、物体接近検出手段１０、物体接触検出手段１１および表示制御手段１２に対応するプログラムをＮＶＲＡＭに格納し、それらプログラムをＲＡＭ上に展開して対応する処理をＣＰＵに実行させる。
【００１７】
接近センサ２およびタッチセンサ３は、タッチパネル装置１００の操作部を構成する。
【００１８】
接近センサ２は、接近する物体を検出するセンサであり、例えば、物体がタッチセンサ３やディスプレイ４に接近したときに静電容量の変化を検出する静電容量方式のセンサや、赤外線発光部（例えば、ＬＥＤ(Light  Emitting  Diode)と赤外線受光部（例えば、フォトダイオード）とから構成され、物体による赤外線の遮断を検出する光学方式のセンサがある。
【００１９】
また、接近センサ２は、超音波を発生させ、物体が接近した場合に物体からの反射波を検出する超音波方式のセンサであってもよく、電磁誘電によって物体（スタイラスペン等の磁界を発生させる装置）の接近を検出する電磁方式のセンサであってもよい。
【００２０】
タッチセンサ３は、物体の接触を検知するセンサであり、例えば、抵抗膜感圧方式、静電容量方式、電磁誘導方式、超音波表面弾性波方式等の従来技術を利用して物理的な接触が行われた位置座標を検知する。
【００２１】
また、接近センサ２およびタッチセンサ３から構成される操作部は、ディスプレイ４上に積層される場合には、ディスプレイ４上に表示される画像を視認させることができるように、例えば、透明のＰＥＴ（Polyethylene  terephthalate）シート等で形成される。
【００２２】
なお、操作部は、ディスプレイ４から物理的に離れた位置に設置されてもよい。ディスプレイ４から物理的に離れた位置に設置する場合、例えば、接近センサ２およびタッチセンサ３に接近または接触する手をカメラで撮影し、撮影した手の画像をディスプレイ４に表示される画像に合成して表示する。なお、タッチパネル装置１００は、手の画像をディスプレイ４に合成表示させる代わりに、指先の位置を示すカーソルを表示させるようにしてもよい。
【００２３】
この構成により、入力装置１００は、ディスプレイ４を操作者から遠い位置に設置することにより視認性を向上させながら、接近センサ２およびタッチセンサ３から構成される操作部を操作者の近くに設置することが可能となる。
【００２４】
ディスプレイ４は、タッチパネル装置１００の表示部を構成する装置であり、例えば、液晶ディスプレイ、プラズマディスプレイ、有機ＥＬ（Electro-Luminescence）ディスプレイがある。
【００２５】
図２乃至図４は、接近センサ２、タッチセンサ３およびディスプレイ４の構成例を示す図であり、図２は、静電容量方式の接近センサ２を構成する透明導電性フィルム層２Ａ、抵抗膜感圧式のタッチセンサ３を構成する透明導電性フィルム層３Ａ、ディスプレイ４を構成するガラス層４Ａが積層されている状態を示す。この構成により、タッチパネル装置１００は、指５のディスプレイ４への接近と接触とを区別して検出することができる。
【００２６】
また、図３は、光学式の接近センサ２を構成する赤外線発光部２Ｂおよび赤外線受光部２Ｃが抵抗膜感圧式のタッチセンサ３を構成する透明導電性フィルム層３Ａ上の空間に対向させて設置された状態を示す。なお、図３（ａ）は、タッチパネル装置１００の断面図であり、図３（ｂ）は、タッチパネル装置１００の上方斜視図である。また、透明導電性フィルム層３Ａは、ディスプレイ４を構成するガラス層４Ａ上に積層される。この構成により、タッチパネル装置１００は、図２の場合と同様、指５のディスプレイ４への接近と接触とを区別して検出することができる。
【００２７】
また、図４は、接近センサ２およびタッチセンサ３から構成される操作部とディスプレイ４とを物理的に離れた位置に配置した状態を示す。操作者の手または指は、操作部の上方に設置されたカメラ６によって撮影され、ディスプレイ４の表示画面に合成表示される。この構成により、入力装置１００は、ディスプレイ４を操作者から遠い位置に配置し、一方で、操作部を操作者の近くに配置しながらも、操作部がディスプレイ４上に載置された構成と同様に、指５の操作部への接近と接触とを区別して検出することができる。
【００２８】
次に、タッチパネル装置１００における制御部１が有する各種手段について説明する。
【００２９】
物体接近検出手段１０は、操作部またはディスプレイ４に接近する物体を検出するための手段であり、例えば、接近センサ２の出力を取得して、ディスプレイ４と物体（例えば、操作者の指５）との間の距離および物体が指し示すディスプレイ４上の位置座標（物体から最も近い位置にあるディスプレイ４上のＸＹ座標）を検出する。
【００３０】
なお、操作部と表示部とが物理的に離れて設置される場合、物体接近検出手段１０は、操作部と物体との間の距離および物体が指し示す操作部上の位置座標を検出する。
【００３１】
物体接触検出手段１１は、操作部に接触する物体を検出するための手段であり、例えば、タッチセンサ３の出力を取得して、ディスプレイ４と物体（例えば、操作者の指５）とが接触したこと、および、その位置座標を検出する。
【００３２】
表示制御手段１２は、表示領域が複数の部分領域に分割されたディスプレイ４における表示を制御するための手段であり、物体接近検出手段１０により操作者の指５がディスプレイ４上の部分領域の一つに接近し、その間の距離が所定値（例えば、４ｃｍ）未満となったことを検出したときに、その部分領域を所定の大きさに拡大して表示する。
【００３３】
表示制御手段１２は、その部分領域が全画面表示となるよう最適な倍率でその部分領域を拡大して表示させてもよく、所定の倍率（例えば、２倍）に拡大して表示させてもよい。
【００３４】
また、表示制御手段１２は、所定期間（例えば、２秒）にわたって操作者の指５とディスプレイ４上の部分領域の一つとの間の距離が所定値（例えば、４ｃｍ）未満に維持された場合に、拡大表示するようにしてもよい。
【００３５】
また、表示制御手段１２は、その部分領域を拡大表示させた後に、所定期間（例えば、５秒）にわたって操作者の指５とディスプレイ４との間の距離が所定値（例えば、８ｃｍ）以上に維持された場合（または、接近状態を検出できなくなった場合）に、拡大表示を中止して元の倍率による表示を行ってもよい。
【００３６】
次に、図５を参照しながら、タッチパネル装置１００において部分領域が拡大表示される処理の流れについて説明する。
【００３７】
図５（ａ）は、５０音入力画面が表示されたディスプレイ４を示す図であり、５０音入力画面は、４つの部分領域Ｒ１乃至Ｒ４に分割される。５０音入力画面は、説明の便宜上、点線により４つの部分領域が区別されるが、これら点線は実際の画面には表示されない。
【００３８】
図５（ａ）において、指５は、ディスプレイ４の表面から所定距離（例えば８ｃｍ）以上離れており、接近センサ２により検出されない状態である。
【００３９】
物体接近検出手段１０は、指５が部分領域Ｒ１に接近し、指５とディスプレイ４における部分領域Ｒ１との間の距離が所定値（例えば、４ｃｍ）未満となり、所定期間（例えば、２秒）その状態が維持されたままであることを検出すると、表示制御手段１２に拡大表示命令を出力する。
【００４０】
表示制御手段１２は、物体接近検出手段１０からの拡大表示命令を受信すると、指５が指し示す部分領域Ｒ１を拡大して表示する。
【００４１】
図５（ｂ）は、図５（ａ）における部分領域Ｒ１を拡大表示するディスプレイ４の図であり、図５（ａ）における部分領域Ｒ１は全画面表示され、その拡大率は全画面表示に最適な倍率が自動的に選択される。
【００４２】
その後、物体接近検出手段１０は、指５が部分領域Ｒ６に接近し、指５とディスプレイ４における部分領域Ｒ６との間の距離が所定値（例えば、２ｃｍ）未満となり、所定期間（例えば、２秒）その状態が維持されたままであることを検出すると、再度、表示制御手段１２に拡大表示命令を出力する。
【００４３】
表示制御手段１２は、物体接近検出手段１０からの拡大表示命令を受信すると、指５が指し示す部分領域Ｒ６を拡大して表示する。
【００４４】
また、物体接近検出手段１０は、指５とディスプレイ４との間の距離が所定値（例えば、４ｃｍ）以上となり、或いは、指５が接近センサ２により検出されない状態となった場合であって、所定期間（例えば、５秒）その状態が維持されたままであることを検出すると、表示制御手段１２に拡大表示中止命令を出力し、表示制御手段１２は、拡大表示を中止させてディスプレイ４の５０音入力画面を元の状態に戻す（図５（ａ）参照。）。
【００４５】
また、所定のボタン領域が押下された場合には、所定期間の計数をリセットするようにしてもよい。拡大表示された状態でボタン操作を連続して行う場合もあり、ボタン操作の途中で拡大表示が中止されないようにするためである。
【００４６】
なお、図５（ｂ）において、物体接触検出手段１１は、指５がタッチセンサ３に接触したことを検出すると、所定のボタン領域が押下されたことを制御部１に出力する。
【００４７】
図５（ｃ）は、図５（ｂ）における部分領域Ｒ６を拡大表示したディスプレイ４の図であり、図５（ｂ）における部分領域Ｒ６は全画面表示され、その拡大率は全画面表示に最適な倍率が自動的に選択される。
【００４８】
物体接触検出手段１１は、指５がタッチセンサ３に接触したことを検出すると、所定のボタン領域（例えば、図５（ｃ）における文字「か」の領域）が押下されたことを制御部１に出力する。
【００４９】
また、物体接近検出手段１０は、指５とディスプレイ４との間の距離が所定値（例えば、４ｃｍ）以上となり、或いは、指５が接近センサ２により検出されない状態となった場合であって、所定期間（例えば、５秒）その状態が維持されたままであることを検出すると、表示制御手段１２に拡大表示中止命令を出力し、表示制御手段１２は、拡大表示を中止させてディスプレイ４の５０音入力画面を元の状態に戻す（図５（ｂ）参照。）。なお、表示制御手段１２は、ディスプレイ４の５０音入力画面を図５（ａ）の状態にまで戻してもよい。
【００５０】
以上の構成により、タッチパネル装置１００は、指５で指し示す位置を中心として連続的に画像を拡大縮小させるのではなく、部分領域単位で段階的に拡大表示を制御するので、指５の位置を拡大表示させる位置に静止させる必要がなく、操作者の利便性を向上させることができる。
【００５１】
また、タッチパネル装置１００は、最大の倍率まで拡大表示させることなく、所定の倍率で拡大表示させたボタン画像（５０音ボタン画像）に対する入力操作を受け入れ、所定の倍率でボタン画像を拡大表示させながら複数指入力を実現させる等、操作者の利便性を向上させることができる。
【００５２】
また、タッチパネル装置１００は、指５がディスプレイ４における部分領域の一つから所定距離未満に接近しその状態が所定期間維持された場合に、その部分領域を拡大表示させるので、操作者は、表示画面を注視することなく拡大表示させたい部分領域の一つを大まかに把握して指５を接近させておき、その部分領域が拡大表示された段階で所望のボタン画像を押下でき、１モーションによる迅速確実な操作入力が可能となる。
【実施例１】
【００５３】
次に、図６を参照しながら、タッチパネル装置１００において部分領域が拡大表示される処理の別の実施例について説明する。
【００５４】
図６（ａ）は、５０音入力画面が表示されたディスプレイ４を示す図であり、５０音入力画面は、４つの部分領域Ｒ９乃至Ｒ１２に分割されている。５０音入力画面は、説明の便宜上、点線により４つの部分領域Ｒ９乃至Ｒ１２が区別されるが、これら点線は実際の画面には表示されない。
【００５５】
図６に示された４つの部分領域Ｒ９乃至Ｒ１２は、表示画面全体を４分割したものではなく、表示画面におけるボタン画像領域を４分割したものである点で、図５と相違する。また、入力した文字が表示される入力フォーム、「修正」ボタンおよび「戻る」ボタン等が表示される領域が拡大表示されずに所定領域に継続して表示される点においても相違する。
【００５６】
図６（ａ）において、指５は、ディスプレイ４の表面から所定距離（例えば８ｃｍ）以上離れており、接近センサ２により検出されない状態である。
【００５７】
物体接近検出手段１０は、指５が部分領域Ｒ９に接近し、指５とディスプレイ４における部分領域Ｒ９との間の距離が所定値（例えば、４ｃｍ）未満となり、所定期間（例えば、２秒）その状態が維持されたままであることを検出すると、表示制御手段１２に拡大表示命令を出力する。
【００５８】
表示制御手段１２は、物体接近検出手段１０からの拡大表示命令を受信すると、指５が指し示す部分領域Ｒ９を拡大して表示する。図６（ｂ）は、図６（ａ）における部分領域Ｒ９を拡大表示させたディスプレイ４の図である。
【００５９】
図６（ｂ）は、６つの部分領域Ｒ１３乃至Ｒ１８に分割されている。６つの部分領域Ｒ１３乃至Ｒ１８は、表示画面全体を６分割したものではなく、それぞれ４つのボタン画像から構成される部分領域Ｒ１３、Ｒ１７およびＲ１８と、それぞれ２つのボタン画像から構成される部分領域Ｒ１４乃至Ｒ１６とから成り、４分割され大きさの等しい４つの部分領域Ｒ５乃至Ｒ８から成る図５（ｂ）と相違する。
【００６０】
物体接近検出手段１０は、指５が部分領域Ｒ１７に接近し、指５とディスプレイ４における部分領域Ｒ１７との間の距離が所定値（例えば、２ｃｍ）未満となり、所定期間（例えば、２秒）その状態が維持されたままであることを検出すると、再度、表示制御手段１２に拡大表示命令を出力する。
【００６１】
表示制御手段１２は、物体接近検出手段１０からの拡大表示命令を受信すると、指５が指し示す部分領域Ｒ１７を拡大して表示する。
【００６２】
図６（ｃ）は、図６（ｂ）における部分領域Ｒ１７を拡大表示させたディスプレイ４の図であり、タッチパネル装置１００は、最大倍率の場合、４つのボタン画像（「な」、「に」、「は」および「ひ」）を表示画面上に表示する。
【００６３】
なお、図６（ｂ）において、指５が部分領域Ｒ１６に接近し、部分領域Ｒ１６が拡大表示された場合、タッチパネル装置１００は、図６（ｂ）では表示されない下隣のボタン画像（「ね」および「へ」）を含めて、４つのボタン画像（「ぬ」、「ね」、「ふ」および「へ」）を表示画面上に表示するが、２つのボタン画像（「ぬ」および「ふ」）だけを表示画面上に表示するようにしてもよい。なお、拡大表示されるボタン画像の大きさは、４つのボタン画像を表示させる場合と２つのボタン画像を表示させる場合とで同じになるように制御されるが、２つのボタン画像を表示させる場合のボタン画像をより大きく表示させるようにしてもよい。
【００６４】
以上の構成により、タッチパネル装置１００は、分割される部分領域の数や大きさを予め設定し、それら部分領域を拡大表示させた場合に、表示画面に表示されるボタン画像の数や大きさを一定にすることができ、視認性を向上させることで操作者の利便性を向上させることができる。
【実施例２】
【００６５】
次に、図７を参照しながら、タッチパネル装置１００において部分領域が拡大表示される処理の別の実施例について説明する。
【００６６】
図７は、５０音入力画面が拡大表示されたディスプレイ４を示す図であり、指５の先端部周辺にカーソル７が表示されている点で、図５および図６と相違する。
【００６７】
タッチパネル装置１００は、物体接近検出手段１０により操作者の指５が所定距離（例えば、４ｃｍ）未満に接近したことを検出すると、指５に最も近いディスプレイ４上の位置座標を中心としてカーソル７を表示させる。また、タッチパネル装置１００は、何れの拡大率で５０音入力画面を表示しているかにかかわらず、カーソル７を表示するようにしてもよい。
【００６８】
この構成により、タッチパネル装置１００は、指５が指し示す位置を操作者に分かり易く表示して入力操作を容易にし、操作者の利便性を向上させることができる。
【実施例３】
【００６９】
次に、図８を参照しながら、タッチパネル装置１００において部分領域が拡大表示される処理の別の実施例について説明する。
【００７０】
図８は、５０音入力画面が拡大表示されたディスプレイ４を示す図であり、指５をディスプレイ４の枠４０へ移動させた状態を示す。また、タッチパネル装置１００は、ディスプレイ４の枠４０にも接近センサ２を備え、ディスプレイ４の枠４０に接近した物体を検出することができる。
【００７１】
タッチパネル装置１００は、物体接近検出手段１０により指５とディスプレイ４の左枠との間の距離が所定値（例えば、２ｃｍ）未満となったことを検出した場合、５０音入力画面に表示されたボタン画像（「あ」、「い」、「か」、「き」、「さ」、「し」が表示された図７参照。）を左に一列移動させる（「か」、「き」、「さ」、「し」、「た」、「ち」が表示される。）。
【００７２】
また、タッチパネル装置１００は、指５と左枠との間の距離が継続して所定値未満である場合、所定の間隔（例えば、１秒毎）でボタン画像を一列ずつ右側に移動させてもよい。
【００７３】
また、タッチパネル装置１００は、上記同様、物体接近検出手段１０により指５とディスプレイ４の上枠、下枠、右枠との間の距離が所定値未満となったことを検出した場合にも、ボタン画像をそれぞれ、下に一行、上に一行、左に一列移動させる。
【００７４】
また、タッチパネル装置１００は、一行または一列毎にボタン画像を移動させる代わりに、一画面（例えば、二行三列）毎にボタン画像を移動させてもよく、指５と枠４０との間の距離や指５の指し示す枠４０上の位置（例えば、枠４０の表示画面に近い端部か表示画面から遠い端部かの違い）に応じて、ボタン画像の移動速度（一行または一列毎、または、一画面毎）を切り換えるようにしてもよい。
【００７５】
以上の構成により、タッチパネル装置１００は、５０音入力画面等の表示画面を拡大表示させた後に、表示される画像を上下左右に移動させ所望とするボタン画像を迅速に表示させることができ、操作者の利便性を向上させることができる。
【００７６】
以上、本発明の好ましい実施例について詳説したが、本発明は、上述した実施例に制限されることはなく、本発明の範囲を逸脱することなく、上述した実施例に種々の変形及び置換を加えることができる。
【００７７】
例えば、上述の実施例では、２段階の拡大表示を制御するタッチパネル装置１００について説明するが、タッチパネル装置１００は、１段階または３段階以上の拡大表示を制御するものであってもよい。
【００７８】
また、タッチパネル装置１００は、タッチセンサ３により指５と操作部とが接触した場合に確定入力とするが、接近センサ２により指５と操作部との間の距離が所定値未満（例えば、２ｃｍ）となり、かつ、その状態が所定期間（例えば、２秒）継続された場合に確定入力としてもよい。
【００７９】
また、タッチパネル装置１００は、接近センサ２により指５の移動速度、移動方向または接近している指の数等を検出し、移動速度が遅い場合には表示画面内でカーソル７を移動方向に移動させ、移動速度が速い場合には表示画面を移動方向に遷移させるようにしてもよく、或いは、接近している指の数が１本の場合には表示画面内でカーソル７を移動方向に移動させ、接近している指の数が２本以上の場合には表示画面を移動方向に遷移させるようにしてもよい。
【図面の簡単な説明】
【００８０】
【図１】タッチパネル装置の構成例を示すブロック図である。
【図２】タッチパネル装置の構成例を示す図（その１）である。
【図３】タッチパネル装置の構成例を示す図（その２）である。
【図４】タッチパネル装置の構成例を示す図（その３）である。
【図５】５０音入力画面を拡大表示させる処理の流れを示す図（その１）である。
【図６】５０音入力画面を拡大表示させる処理の流れを示す図（その２）である。
【図７】タッチパネル装置の別の実施例を示す図（その１）である。
【図８】タッチパネル装置の別の実施例を示す図（その２）である。
【符号の説明】
【００８１】
１      制御部
２、２Ａ〜２Ｄ  接近センサ
３、３Ａ〜３Ｃ  タッチセンサ
４、４Ａ〜４Ｃ  ディスプレイ
５      指
６      カメラ
７      カーソル
１０    物体接近検出手段
１１    物体接触検出手段
１２    表示制御手段
４０    枠
Ｒ１〜Ｒ１８  部分領域
【図１】
2008009759.tif 000003
【図２】
2008009759.tif 000004
【図３】
2008009759.tif 000005
【図４】
2008009759.tif 000006
【図５】
2008009759.tif 000007
【図６】
2008009759.tif 000008
【図７】
2008009759.tif 000009
【図８】
2008009759.tif 000010